(57)【要約】      （修正有）【課題】臨場感のある音声を再現でき、奥行きスペースを確保する必要がなく、軽く持ち運びが容易な自立式三面透明パーテーション加振器スピーカーシステムを提供する。【解決手段】自立式三面透明パーテーション加振器スピーカーシステム１は、三枚の透明なプラスチック製材料の板で構成され、前板本体２および側板本体３は、耐久性があり、加振器スピーカー５が与える振動を吸収し、バランスよくクリアな音の再現に適したものである。加振器スピーカー５は、前板本体２、側板本体３に加振器スピーカー留め具で固定される。透明な前板本体２と側板本体３に振動を与える「加振器」を装着することにより、利用者に小さな音量でクリアな音声と没入感を与えることができ、持ち運びが可能なため、部屋の移動、テーブルの移動が可能で、どこでもプライバシースペースを確保できる自立式三面透明パーテーションタイプのスピーカーシステムを実現させている。【選択図】図１
0003232755.tif 000002
【実用新案登録請求の範囲】
【請求項１】
サウンドシステムであって、
前側板本体と
この本体に取り付けられて加振させ音を出す少なくとも一つ以上の加振器と、
前記加振器に音楽信号を伝える制御基板と
を備えることを特徴とするサウンドシステム。
【請求項２】
前記制御基板には少なくとも電源、アンプ、Ｂｌｕｅｔｏｏｔｈ（登録商標）受信回路が備え付けられる
ことを特徴とする請求項１に記載のサウンドシステム。
【請求項３】
前記前側板本体は透明な材料で構成されることを特徴とする請求項１に記載のサウンドシステム。
【請求項４】
前記前側板本体は持ち運びができるよう、左面、正面、右面で折り畳める構造を有することを特徴とする請求項１に記載のサウンドシステム。
【考案の詳細な説明】
【技術分野】
【０００１】
本考案は、自立式三面透明パーテーションタイプの加振器スピーカーに関するものである。
【背景技術】
【０００２】
テレビや音楽プレイヤー、ＰＣからＢｌｕｅｔｏｏｔｈ（登録商標）通信によって音を出す手段は、家庭用コンセント、もしくは充電タイプのＢｌｕｅｔｏｏｔｈ（登録商標）対応スピーカーから出していた。
自立式 三面透明パーテーションは飛沫防止やプライベート空間確保の要求増加により店舗や個人でも利用される件数が増えている。
そこでは、ＰＣを置いて在宅ワークやＷＥＢ会議なども行われている。
【先行技術文献】
【特許文献】
【０００３】
【特許文献１】特開２０２０−１２７０６０号公報
【考案の概要】
【考案が解決しようとする課題】
【０００４】
従来のコンセントタイプのＢｌｕｅｔｏｏｔｈ（商標登録）スピーカーの場合、コンセント近くで置く場所を取っていた。
従来の充電式Ｂｌｕｅｔｏｏｔｈ（商標登録）スピーカーの場合でも場所は選べるが、置く場所を取っていた。
また三面透明パーテーションは飛沫防止やプライベート空間確保ができれば事足りていた。近年在宅ワークやＷＥＢ会議が増え、パーテーション内にＰＣを置き作業するケースが増えてきた。
しかしながらＰＣ単体のスピーカーでは音量を大きくしないと聞こえづらかったり、動画再生をしても臨場感を味わうことができないなどの問題があった。
前述の欠点を解決しようとしたものである。
【課題を解決するための手段】
【０００５】
本考案は利用者から見て前左右に従来のボックス型のコーン紙を振動させるスピーカーではなく、透明な前左右板に振動を与えて音を出す「加振器スピーカー」を採用し、可視性を高めた上、薄さを最小限に抑え、利用者に小さな音量でクリアな音声を伝え、なおかつ没入感を与える構造になっている。  
【考案の効果】
【０００６】
上述の様に、自立式三面透明パーテーション加振器スピーカーシステムは透明な前左右板が利用者の正面、側面を囲うように置かれ、その面には加振器スピーカーが装着されており、前板と側板に振動を与え、臨場感のある音声を再現するスピーカーシステムを実現させている。  
埋込型スピーカーに比べて、奥行きスペースを確保する必要がなく、軽く持ち運びが容易なため、部屋の移動、テーブルの移動が可能で、どこでもプライバシースペースを確保できるスピーカーシステムとなっている。
【図面の簡単な説明】
【０００７】
【図１】は自立式三面透明パーテーション加振器スピーカーシステムの実施例を示す斜視図である。
【図２】は自立式三面透明パーテーション加振器スピーカーシステムの実施例を示す三面図である。
【図３】は自立式三面透明パーテーション加振器スピーカーシステムの加振器スピーカーおよび加振器スピーカー留め具の実施例を示す正面図である。
【図４】は自立式三面透明パーテーション加振器スピーカーシステムの制御基板のブロック図である。
【考案を実施するための形態】
【０００８】
本器は三枚の透明なプラスチック製材料の板で構成されている。
また臨場感を上げるために前、左右の三面に加えて利用者の頭上部分を網羅した上面の四面タイプの物であってもよい。利用者のＰＣやスマートフォン音源にて再生された音楽信号はＢｌｕｅｔｏｏｔｈ（商標登録）にて本器の加振器スピーカーに接続され、クリアで迫力のある音声を再現させることが可能になる。また、ＷＥＢ会議を円滑に行うためマイクが装着されてあってもよい。
音声（ＡＩスピーカー）やリモコンにて加振器スピーカーの制御を行える。
【実施例】
【０００９】
以下、添付図面に従って実施例を説明する。
前板本体２および側板本体３は耐久性のプラスチック等透過性のある物で、加振器スピーカー５が与える振動を吸収し、バランスよくクリアな音の再現に適したものである。
加振器スピーカー５は前板本体２、側板本体３に加振器スピーカー留め具７で固定され、防水性や気密性が求められる場所にも設置して音を鳴らせる、低背タイプの物である。ＬＥＤを装着し、デザインや光の演出を施す導光板の機能を有してもよい。加振器スピーカー５は制御基板に接続され、電源と音楽信号の供給を受ける。
制御基板にはＡＣ／ＤＣ電源９、Ｂｌｕｅｔｏｏｔｈ（商標登録）モジュール１４、オーディオアンプ１２機能を制御している。ネットワークモジュール１３を備えたものであってもよい。また声による音声コントロールを実現させるために、スマートスピーカーモジュール８を備えたものであってもよい。
加振器スピーカー留め具７は前板本体２および側板本体３に固定され、加振器スピーカー５固定の為に使用される。加振器スピーカー５の故障、交換が容易にできるためワンタッチで着脱でき、また、前側板とのがたつき調整ができるよう、前側板への圧力調整ができる機能を設けておくこともできる。
【産業上の利用可能性】
【００１０】
個人利用が主目的であるが、ショップ、レストラン、オフィスあらゆる産業で利用が可能である。
【符号の説明】
【００１１】
１  自立式三面透明パーテーション加振器スピーカー
２  前板本体
３  側板本体
４  ＡＣコンセントプラグ
５  加振器スピーカー 
６  制御基板ボックス 
７  加振器スピーカー留め具 
８  スマートスピーカーモジュール
９  ＡＣ／ＤＣ電源
１０  ＣＰＵ
１１  ＤＳＰ
１２  オーディオアンプ
１３  ネットワークモジュール
１４  Ｂｌｕｅｔｏｏｔｈ（登録商標）モジュール
【図１】
0003232755.tif 000003
【図２】
0003232755.tif 000004
【図３】
0003232755.tif 000005
【図４】
0003232755.tif 000006